(57)【要約】【課題】  トイレ用スコップを面倒もなくスムーズに振動させて、猫砂と廃棄物との篩い分けを猫砂や廃棄物が飛び散ったりするおそれもなく迅速になすことができるペットのトイレ用スコップを提供する。【解決手段】  把持具３と篩い孔１６を有するスコップ本体４とを備えたペットのトイレ用スコップであって、把持具３に電池３７を収納する電池収納部３８が設けられ、電池収納部３８に収納した電池３７からの電力供給によって振動する振動手段３９が把持具３内に設けられている。また、スコップ本体４の底壁７の前部に板状の掬い壁部２０が設けられ、掬い壁部２０の基部に掬い壁部２０上面から上方突出した堰止め段部２１が設けられている。【選択図】図１
2016154522.tif 000002
【特許請求の範囲】
【請求項１】
把持具（３）と篩い孔（１６）を有するスコップ本体（４）とを備えたペットのトイレ用スコップであって、
把持具（３）に電池（３７）を収納する電池収納部（３８）が設けられ、電池収納部（３８）に収納した電池（３７）からの電力供給によって振動する振動手段（３９）が把持具（３）内に設けられていることを特徴とするペットのトイレ用スコップ。
【請求項２】
スコップ本体（４）は、底壁（７）と底壁（７）の左右両端部から起立した左右一対の側壁（８）とを有し、底壁（７）に前記篩い孔（１６）が複数個形成され、底壁（７）の前部に板状の掬い壁部（２０）が設けられ、掬い壁部（２０）の基部に掬い壁部（２０）上面から上方突出した堰止め段部（２１）が設けられ、掬い壁部（２０）の堰止め段部（２１）よりも前側に廃棄物を受ける受け部（２２）が形成されていることを特徴とする請求項１に記載のペットのトイレ用スコップ。
【請求項３】
スコップ本体（４）は、底壁（７）と底壁（７）の左右両端部から起立した左右一対の側壁（８）とを有し、底壁（７）の前部の左右方向外端部に、左右方向外方に延長突出した延長掬い壁部（２４）が設けられ、左右側壁（８）の前部に、延長掬い壁部（２４）の左右外端部から起立するように左右方向外方に広がった拡張側壁部（２５）が設けられていることを特徴とする請求項１又は２に記載のペットのトイレ用スコップ。
【請求項４】
把持具（３）の基部側に把持部となる筒状の電池収納部（３８）が設けられ、把持具（３）の先端側に振動手段（３９）が収納されて振動発生部となる振動手段収納部（４０）が設けられ、電池収納部（３８）の先端部に、電池（３７）から振動手段（３９）への電力の供給を断接する操作スイッチ（４３）が外方突出状に設けられ、
振動手段収納部（４０）の先端部にスコップ本体（４）を着脱自在に取り付ける取付部（５３）が設けられていることを特徴とする請求項１〜３のいずれかに記載のペットのトイレ用スコップ。
【請求項５】
前記振動手段（３９）は、電池（３７）の電力で駆動するモータ（４５）とモータ（４５）によって回転駆動される偏心錘（４６）とを備え、振動手段収納部（４０）にモータ（４５）が収納され、モータ（４５）の先端側に偏心錘（４６）が取り付けられていることを特徴とする請求項４に記載のペットのトイレ用スコップ。
【請求項６】
把持具（３）の電池収納部（３８）と振動手段収納部（４０）との間に括れ部（４２）が設けられ、電池収納部（３８）の基部に吊下孔（４９）を有する吊下片（５０）が設けられていることを特徴とする請求項４又は５に記載のペットのトイレ用スコップ。
【請求項７】
スコップ本体（４）が把持具（３）に対してその長手方向よりも上側に向けて傾斜突出するように取り付けられることを特徴とする請求項１〜６のいずれかに記載のペットのトイレ用スコップ。
【発明の詳細な説明】
【技術分野】
【０００１】
本発明は、猫等のペットの排泄物をいわゆる猫砂と共に掬い分別して廃棄するようにしたペットのトイレ用スコップに関するものである。
【背景技術】
【０００２】
屋内で飼っている猫等のペットは、いわゆる猫砂と称される排泄物処理材が収容されているペットトイレで排泄を行うように躾られており、排泄後は水分によって凝固された排泄物処理材や糞等の排泄物をペットのトイレ用スコップで猫砂と共に掬い、猫砂と排泄物とを分別して排泄物をペットトイレから取り出し、廃棄物として廃棄している。
このような排泄物の廃棄に使用されるペットのトイレ用スコップには、把持具と篩い孔を有するスコップ本体とを備えたものがあり、この種の従来のペットのトイレ用スコップは、把持具とスコップ本体とが合成樹脂等により一体に形成され、スコップ本体で猫砂と排泄物とを分別する際に、把持具を持った手を手動で振動させ、スコップ本体の篩い孔から猫砂を落下させて猫砂と排泄物とを篩い分けていた（例えば特許文献１，特許文献２）。
【先行技術文献】
【特許文献】
【０００３】
【特許文献１】特許第３１６０２１２号公報
【特許文献２】特開２００９−２１３４５８号公報
【発明の概要】
【発明が解決しようとする課題】
【０００４】
しかし、従来の場合、トイレ用スコップを手動で振動させて篩い分けているため、篩い分けが面倒であるし、トイレ用スコップの振動がぎこちなくなり、篩い分けを迅速になし得なくなるという問題があった。また、篩い分けの力加減が難しく、猫砂や排泄物が不測に飛び散ったりした。
本発明は上記問題点に鑑み、トイレ用スコップを面倒もなくスムーズに振動させて、猫砂と廃棄物との篩い分けを猫砂や廃棄物が飛び散ったりするおそれもなく迅速になすことができるペットのトイレ用スコップを提供することを目的としている。
【課題を解決するための手段】
【０００５】
本発明における課題解決のための具体的手段は、次の通りである。
この技術的課題を解決する本発明の技術的手段は、把持具３と篩い孔１６を有するスコップ本体４とを備えたペットのトイレ用スコップであって、
把持具３に電池３７を収納する電池収納部３８が設けられ、電池収納部３８に収納した電池３７からの電力供給によって振動する振動手段３９が把持具３内に設けられている点にある。
【０００６】
また、本発明の他の技術的手段は、スコップ本体４は、底壁７と底壁７の左右両端部から起立した左右一対の側壁８とを有し、底壁７に前記篩い孔１６が複数個形成され、底壁７の前部に板状の掬い壁部２０が設けられ、掬い壁部２０の基部に掬い壁部２０上面から上方突出した堰止め段部２１が設けられ、掬い壁部２０の堰止め段部２１よりも前側に廃棄物を受ける受け部２２が形成されている点にある。
【０００７】
また、本発明の他の技術的手段は、スコップ本体４は、底壁７と底壁７の左右両端部から起立した左右一対の側壁８とを有し、底壁７の前部の左右方向外端部に、左右方向外方に延長突出した延長掬い壁部２４が設けられ、左右側壁８の前部に、延長掬い壁部２４の左右外端部から起立するように左右方向外方に広がった拡張側壁部２５が設けられている点にある。
【０００８】
また、本発明の他の技術的手段は、把持具３の基部側に把持部となる筒状の電池収納部３８が設けられ、把持具３の先端側に振動手段３９が収納されて振動発生部となる振動手段収納部４０が設けられ、電池収納部３８の先端部に、電池３７から振動手段３９への電力の供給を断接する操作スイッチ４３が外方突出状に設けられ、
振動手段収納部４０の先端部にスコップ本体４を着脱自在に取り付ける取付部５３が設けられている点にある。
【０００９】
また、本発明の他の技術的手段は、前記振動手段３９は、電池３７の電力で駆動するモータ４５とモータ４５によって回転駆動される偏心錘４６とを備え、振動手段収納部４０にモータ４５が収納され、モータ４５の先端側に偏心錘４６が取り付けられている点にある。
また、本発明の他の技術的手段は、把持具３の電池収納部３８と振動手段収納部４０との間に括れ部４２が設けられ、電池収納部３８の基部に吊下孔４９を有する吊下片５０が設けられている点にある。
【００１０】
また、本発明の他の技術的手段は、スコップ本体４が把持具３に対してその長手方向よりも上側に向けて傾斜突出するように取り付けられる点にある。
【発明の効果】
【００１１】
本発明によれば、電池収納部に収納した電池からの電力供給によって把持具内の振動手段を振動させて、トイレ用スコップを面倒もなくスムーズに振動させることができ、猫砂と廃棄物との篩い分けを猫砂や廃棄物が飛び散ったりするおそれもなく迅速になすことができる。
【図面の簡単な説明】
【００１２】
【図１】本発明の第１実施形態を示すペットのトイレ用スコップの側面断面図である。
【図２】同トイレ用スコップの斜視図である。
【図３】同トイレ用スコップの平面図である。
【図４】同トイレ用スコップの側面図である。
【図５】第２実施形態を示すペットのトイレ用スコップの側面断面図である。
【図６】本発明の一部を適用したペットのトイレ用スコップの構成例を示す斜視図である。
【発明を実施するための形態】
【００１３】
以下、本発明の実施の形態を図面に基づいて説明する。
図１〜図４は本発明の第１実施形態を示している。図１〜図４において、猫等のペットのトイレ用スコップ１は、把持具３とスコップ本体４とを備え、把持具３とスコップ本体４とはそれぞれ別体に構成されている。
スコップ本体４は、硬質の合成樹脂等により形成され、底壁７と底壁７の左右両端部から起立した左右一対の側壁８と底壁７の後端部から起立した後壁９と後壁９の背面から後方に突出した取付筒部１０とを一体に有している。
【００１４】
取付筒部１０は嵌合孔１２を有する角筒状に形成され、取付筒部１０の下壁の中央部に上下方向に貫通した取付孔１３が設けられている。取付筒部１０の左右両端部に左右一対の補強リブ１４が下方に突設され、左右の補強リブ１４は後壁９と取付筒部１０の左右両端部とに連結されている。
底壁７は長方形の板状に形成され、前半部が後半部に対して前上がりに傾斜されている。底壁７に前後に長い長孔形状の篩い孔１６が複数個形成されている。図例では、篩い孔１６は前後に３列で左右に６個ずつ形成されている。
【００１５】
底壁７の各篩い孔１６の周囲の上開口縁部（内側開口縁部）にはアールが形成されており、このためスコップ本体４で掬った猫砂が篩い孔１６から落ち易くなっている。
左右側壁８の上端部に左右方向外方に突出した側リブ１７が設けられ、後壁９の上端部に後方に突出した後リブ１８が設けられている。
底壁７の前部に篩い孔１６のない板状の掬い壁部２０が設けられ、底壁７の前部を階段状に折曲することにより、掬い壁部２０の基部に掬い壁部２０上面から上方突出（上側に折曲）した堰止め段部２１が設けられ、掬い壁部２０の堰止め段部２１よりも前側に廃棄物を受ける受け部２２が形成されている。本実施形態では、受け部２２は掬い壁部２０の左右方向の全長に亘って形成されている。
【００１６】
底壁７の前部の左右方向外端部に、側壁８の前部を除く内面８ａよりも左右方向外方に
延長突出した延長掬い壁部２４が設けられ、側壁８の前部の左右方向外端部に、延長掬い壁部２４の左右外端部から起立するように側壁８の前部を除く内面８ａよりも左右方向外方に広がった拡張側壁部２５が設けられている。左右側リブ１７の前部に、拡張側壁部２５に対応して左右方向外方に向けて没入した没入凹部２７が設けられている。
【００１７】
把持具３は、上構成体２９と下構成体３０とを備え、これら上構成体２９と下構成体３０とは硬質の合成樹脂等によりそれぞれ一体に形成され、上構成体２９の外周部に嵌合段部３１が設けられ、下構成体３０の外周部に嵌合段部３１に対向して嵌合段部３２が設けられ、上構成体２９及び下構成体３０の内面に連結筒３３，３４が対応して突設されており、上構成体２９と下構成体３０とは、嵌合段部３１，３２を介して互いに嵌合され、連結筒３３，３４に挿通したボルト３５によって締め付け固定されている。
【００１８】
把持具３に電池３７を収納する電池収納部３８と振動手段３９を収納する振動手段収納部４０とが設けられ、電池収納部３８に収納した電池３７は上構成体２９と下構成体３０との間で挟持固定され、振動手段収納部４０に収納した振動手段３９は電池収納部３８に収納した電池３７からの電力供給によって振動するように構成されている。電池収納部３８は把持具３の基部側に把持部となるように筒状に形成され、振動手段収納部４０は把持具３の先端側に球形状に形成され、振動手段３９が収納されて振動発生部とされている。把持具３の電池収納部３８と振動手段収納部４０との間に括れ部４２が設けられている。
【００１９】
電池収納部３８の先端部に、電池３７から振動手段３９への電力の供給を断接する操作スイッチ４３が外方突出状に設けられている。操作スイッチ４３はスライド式であって、例えば前方にスライド操作すると、電池３７から振動手段３９へ電力が供給されて振動手段３９が振動し、後方にスライド操作すると、電池３７から振動手段３９への電力供給が遮断されて振動手段３９の振動が停止するようになっている。
【００２０】
前記振動手段３９は、電池３７の電力で駆動するモータ４５とモータ４５によって回転駆動される偏心錘４６とを備え、振動手段収納部４０にモータ４５が収納され、モータ４５の先端側に偏心錘４６が取り付けられている。モータ４５は、上構成体２９と下構成体３０との間で挟持されると共に、振動手段収納部４０（下構成体３０）に内方突設した前後一対の支持板４７等によって支持固定されている。
【００２１】
電池収納部３８の基部に吊下孔４９を有する吊下片５０が突設されている。吊下片５０は上構成体２９又は下構成体３０の一方に連結固定されている。振動手段収納部４０（下構成体３０）の先端部にスコップ本体４を着脱自在に取り付けるための長方形板状の取付部５３が突設され、この取付部５３の中央部に上下に貫通したねじ孔５４が形成されている。
【００２２】
而して、スコップ本体４の取付筒部１０に把持具３の取付部５３を内嵌し、ボルト５５を取付孔１３に挿通すると共にねじ孔５４に螺合して締め付けることにより、把持具３の先端側にスコップ本体４が着脱自在に取り付けられ、このときスコップ本体４が把持具３に対してその長手方向よりも上側に向けて傾斜突出するようになっている。これにより、スコップ本体４がモータ４５及び偏心錘４６の回転軸心Ｘに対して上側に向けて傾斜した状態になっている。
【００２３】
前記実施形態によれば、屋内で飼っている猫等のペットが、猫砂と称される排泄物処理材が収容されているペットトイレで排泄して、水分によって凝固された排泄物処理材や糞等の排泄物が生じ、この排泄物を廃棄する場合、把持具３の電池収納部３８を把持して、スコップ本体４で猫砂と共に排泄物を掬い、その後操作スイッチ４３を前側に摺動操作すると、把持具３の振動手段収納部４０が振動して、その振動がスコップ本体４に伝達され、スコップ本体４が細かく高速で振動するので、例えば２秒程度で、猫砂がスコップ本体４の篩い孔１６から落下し、スコップ本体４に排泄物が残る。
【００２４】
その後、操作スイッチ４３を後側に摺動操作すると、振動手段３９の振動が止まるので、排泄物をトイレ用スコップ１でペットトイレから取り出して、廃棄物として廃棄する。
従って、トイレ用スコップ１を電動によって面倒もなく細かく高速でスムーズに振動させて、猫砂と廃棄物との篩い分けを猫砂や廃棄物が飛び散ったりするおそれもなく迅速になすことができる。
【００２５】
また、スコップ本体４が把持具３に対してその長手方向よりも上側に向けて傾斜突出するように取り付けられるので、スコップ本体４をペットトイレの猫砂内にスムーズに突っ込むことができ、スコップ本体４で猫砂及び廃棄物を簡単に掬うことができる。しかも、篩い分ける際には、スコップ本体４が把持具３に対してその長手方向よりも上側に向けて傾斜突出するように取り付けられるので、モータ４５及び偏心錘４６の回転軸心Ｘに対してスコップ本体４の底壁７が上側に向けて傾斜することになり、モータ４５の回転によりスコップ本体４が３次元的に振動して、スコップ本体４が左右や上下に振動するだけでなく、前後にも振動することになり、猫砂及び廃棄物を持ち上げながら上手く撹拌させて効率よく篩い分けることができる。
【００２６】
また、前記第１実施形態によれば、底壁７の前部に篩い孔１６のない板状の掬い壁部２０が設けられ、掬い壁部２０の基部に掬い壁部２０上面から上方突出した堰止め段部２１が設けられ、掬い壁部２０の堰止め段部２１よりも前側に廃棄物を受ける受け部２２が形成されているので、掬い壁部２０で掬った小さな廃棄物が堰止め段部２１で堰き止められて、篩い孔１６から逃がすことなく受け部２２で受けて保持しておくことができるため、ペットトイレの猫砂内に小さなゴミ等の廃棄物がある場合に、スコップ本体４の掬い壁部２０で小さなゴミ等の廃棄物を簡単に掬い取って容易に廃棄することができる。
【００２７】
また、底壁７の前部の左右方向の両外端部に、左右方向外方に延長突出した延長掬い壁部２４が設けられ、左右側壁８の前部に、各延長掬い壁部２４の左右外端部から起立するように左右方向外方に広がった拡張側壁部２５が設けられているので、ペットトイレの猫砂内に小さなゴミ等の廃棄物がある場合に、スコップ本体４の前部の左右方向外端部のみを猫砂内に差し込んで、延長掬い壁部２４で小さなゴミ等の廃棄物だけを掬い、これを堰止め段部２１よりも前側にある受け部２２で保持して、小さなゴミ等の廃棄物のみをそのまま容易に廃棄することもでき、非常に便利である。
【００２８】
図５は、第２実施形態を示し、篩い孔１６をスコップ本体４の底壁７の他に左右側壁８と後壁９にも設けている。この場合、例えば、スコップ本体４を左右方向の一方側や後方側が下がるように傾斜させて振動させることによって、左右側壁８の篩い孔１６や後壁９の篩い孔１６によっても猫砂を分別してふるい落とせるようになっている。
また、底壁７の前部に底壁７の左右全幅に亘る突起部５７を上方突設することにより、堰止め段部２１を突起部５７の前側に底壁７の左右全長に亘って形成している。その他の点は前記第１実施形態の場合と同様の構成である。
【００２９】
図６は、本発明の一部を適用したペットのトイレ用スコップ１の他の構成例を示している。トイレ用スコップ１の把持具３は合成樹脂等によってスコップ本体４と一体に形成され、この把持具３には、電池収納部３８や振動手段収納部４０は設けられておらず、把持具３内に振動手段３９も設けられていない。
そして、前記実施形態と同様に、スコップ本体４の底壁７の前部に篩い孔１６のない掬い壁部２０が設けられ、底壁７の前部に掬い壁部２０上面から上方突出した堰止め段部２１が形成されている。掬い壁部２０の左右方向の中央部に、後方に向けて徐々に肉厚になるように上方に膨出した膨出部５９が設けられ、この膨出部５９の左右両側であって掬い壁部２０の堰止め段部２１よりも前側に廃棄物を受ける受け部２２が左右に分かれて一対形成されている。
【００３０】
また、前記実施形態の場合と同様に、底壁７の前部の左右方向外端部に延長掬い壁部２４が設けられ、左右側壁８の前部に拡張側壁部２５が設けられている。
なお、前記図６の他の構成例の場合、第２実施形態の場合と同様に、２点鎖線で示すように篩い孔１６をスコップ本体４の底壁７の他に左右側壁８と後壁９にも設けるようにしてもよいし、第１実施形態の場合と同様に、篩い孔１６をスコップ本体４の底壁７のみに設けるようにしてもよい。
【００３１】
なお、スコップ本体４に設けた篩い孔１６の大きさや形状は、前記実施形態の場合に限定されず、篩い孔１６を長孔形状に代えて、丸孔や角孔にしてもよいし、篩い孔１６を幅や長さを細くしたり、太くしたり、長くしたり、短くしたりしてもよいことは勿論である。
また、前記実施形態では、底壁７の前部の左右方向の両外端部に、左右方向外方に延長突出した延長掬い壁部２４が設けられ、左右側壁８の前部に、各延長掬い壁部２４の左右外端部から起立するように左右方向外方に広がった拡張側壁部２５が設けられているが、これに代え、延長掬い壁部２４を底壁７前部の左右方向の一方の外端部のみに設け、これに対応して拡張側壁部２５を一方の側壁８の前部のみに設けるようにしてもよい。
【００３２】
また、前記実施形態では、振動手段３９の振動によってスコップ本体４を細かく高速で振動させるようにしているが、これに代え、振動手段３９の振動によって、スコップ本体４を手動で振動させる場合と同様に大きくゆっくりと振動させるようにしてもよい。
また、前記実施形態では、スコップ本体４の取付筒部１０に把持具３の取付部５３を内嵌し、ボルト５５で締め付けることにより、把持具３の先端側にスコップ本体４が着脱自在に取り付けられているが、これに代え、スコップ本体４の取付筒部１０に把持具３の取付部５３を強制的に嵌合することによって、把持具３の先端側にスコップ本体４を着脱自在に取り付けてもよいし、例えば、ワンタッチバックルで着脱自在に嵌合し、或いは係合爪等を使用して着脱自在に取り付けるようにしてもよい。
【００３３】
また、前記実施形態では、底壁７の前部に篩い孔のない板状の掬い壁部２０が設けられているが、これに代え、底壁７の堰止め段部２１よりも前方の掬い壁部２０に、粉粒体を落とすことが可能な微小孔を設けるようにしてもよい。
また、前記実施形態では、スコップ本体４の底壁７等の各篩い孔１６の周囲の上開口縁部（内側開口縁部）にはアールが形成されているが、これに代え又はこれに加えて、底壁７等の各篩い孔１６の周囲の下開口縁部（外側開口縁部）にアールを形成するようにしてもよい。
【００３４】
また、前記第１実施形態及び第２実施形態では、掬い壁部２０の左右全幅に亘って廃棄物を受ける受け部２２を形成しているが、これに代え、図６の他の構成例の場合と同様に廃棄物を受ける受け部２２を掬い壁部２０の左右両側に設け、又は受け部２２を掬い壁部２０の左右の一方側のみに設ける等、掬い壁部２０の一部のみに設けるようにしてもよい。
【符号の説明】
【００３５】
１      トイレ用スコップ
３      把持具
４      スコップ本体
７      底壁
８      側壁
１６    篩い孔
２０    掬い壁部
２１    堰止め段部
２２    受け部
２４    延長掬い壁部
２５    拡張側壁部
３７    電池
３８    電池収納部
３９    振動手段
４０    振動手段収納部
４２    括れ部
４３    操作スイッチ
４５    モータ
４６    偏心錘
５３    取付部
【図１】
2016154522.tif 000003
【図２】
2016154522.tif 000004
【図３】
2016154522.tif 000005
【図４】
2016154522.tif 000006
【図５】
2016154522.tif 000007
【図６】
2016154522.tif 000008
【手続補正書】
【提出日】平成27年2月26日(2015.2.26)
【手続補正１】
【補正対象書類名】明細書
【補正対象項目名】０００３
【補正方法】変更
【補正の内容】
【０００３】
【特許文献１】実用新案登録第３１６０２１２号公報
【特許文献２】特開２００９−２１３４５８号公報